(57)【特許請求の範囲】
【請求項１】
隣接されて並列されるコンクリート管を相互に接合するカラー型の管継ぎ手に於いて、管継ぎ手全体がゴム等の弾性体で形成されると共に、該管継ぎ手の管壁内の肉厚の中心部に伸縮調整シートが一体的に埋設されており、かつ管継ぎ手の外周壁の長軸方向のほぼ中央部にリング溝が穿設され、更に管継ぎ手の内周壁の長軸方向のほぼ中央部にリング深溝によって２分された巾広突条リングが突設されて構成された管継ぎ手。
【請求項２】
カラー型の管継ぎ手の外周壁の長軸方向のほぼ中央部にリング溝が穿設され、内周壁の長軸方向のほぼ中央部にリング深溝によって２分された巾広突条リングが突設され、かつ管継ぎ手の管壁内の肉厚の中心部に伸縮調整シートが一体的に埋設された管継ぎ手の両端部内に、連結される並列されたコンクリート管の端部が夫々嵌入されており、更に前記管継ぎ手の両端部が締付バンドを介して前記コンクリート管の端部に締付固定されていることを特徴とした管の継ぎ手構造。
【発明の詳細な説明】
【０００１】
【発明の属する技術分野】
本発明はヒューム管、レジンコンクリート管等のコンクリート管の継ぎ手及び管の継ぎ手構造に係り、特に地震時等に、埋設されたコンクリート管が変位等で移動した際に、隣接されたコンクリート管を連結する管継ぎ手が破断されたり、伸縮或いは変形して連結されたコンクリート管が離脱することを防止し得る管継ぎ手及び管の継ぎ手構造に関するものである。
【０００２】
【従来の技術】
従来のこの種のコンクリート管の継ぎ手及び管の継ぎ手構造としては、例えば実公昭５９ー１８２２３号公報、実公平２ー３０２９号公報等に示す技術が公知である。これ等の従来のコンクリート管の継ぎ手構造は、一般的に一方のコンクリート管の端部外周面に止水用のゴム輪を取り付け、かつ他方のコンクリート管の端部にソケット或いはカラーを取り付け、管接合時に前記コンクリート管のゴム輪の周りに該ソケット或いはカラーを密接することによって構成していた。
【０００３】
【発明が解決しようとする課題】
然るに、前述の従来の構造を有する管継ぎ手及び管の継ぎ手構造は、止水用のゴム輪とその周りに被覆されたカラー或いはソケットの作用で、継ぎ手部分の止水を可能とすることは出来るが、地震等で管路が大きく移動するような場合には、前記カラー或いはソケットが簡単に破断されたり、今迄嵌入されていたコンクリート管の端部が容易に抜け出してしまう問題があった。従って、これ等を再度組合せ固定する為には、周りの土砂を取り除いて、各コンクリート管を配設すると共に、両者の端部を以前の状態に接続しなければならない問題があった。
【０００４】
本発明に係る管継ぎ手及び管の継ぎ手構造は、前述の従来の問題点に鑑み開発された全く新しい技術であって、特にカラー型の管継ぎ手を弾性体で形成すると共に、この継ぎ手の管壁内に伸縮調整シートを埋設して全体に所定の剛性を持たせ、かつ継ぎ手の管内外周壁に溝或いは深溝を有する突条リングを設けて地震等の大きな変位に対応出来るように構成した全く新規な管継ぎ手と及びその管継ぎ手を使用した構造の技術を提供するものである。
【０００５】
【課題を解決するための手段】
本発明に係る管継ぎ手は、前述の従来の問題点を根本的に改善した技術であって、その発明の要旨は、隣接されて並列されるコンクリート管を相互に接合するカラー型の管継ぎ手に於いて、管継ぎ手全体がゴム等の弾性体で形成されると共に、該管継ぎ手の管壁内の肉厚の中心部に伸縮調整シートが一体的に埋設されており、かつ管継ぎ手の外周壁の長軸方向のほぼ中央部にリング溝が穿設され、更に管継ぎ手の内周壁の長軸方向のほぼ中央部にリング深溝によって２分された巾広突条リングが突設されて構成された管継ぎ手である。
【０００６】
本発明に係る管の継ぎ手構造は、前述の従来の問題点を根本的に改善した技術であって、その第１発明の要旨は、カラー型の管継ぎ手の外周壁の長軸方向のほぼ中央部にリング溝が穿設され、内周壁の長軸方向のほぼ中央部にリング深溝によって２分された巾広突条リングが突設され、かつ管継ぎ手の管壁内の肉厚の中心部に伸縮調整シートが一体的に埋設された管継ぎ手の両端部内に、連結される並列されたコンクリート管の端部が夫々嵌入されており、更に前記管継ぎ手の両端部が締付バンドを介して前記コンクリート管の端部に締付固定されていることを特徴とした管の継ぎ手構造である。
【０００７】
【発明の実施の形態】
図により本発明に係る管継ぎ手及び継ぎ手構造の一実施例を具体的に説明すると、図１は本発明に係る管継ぎ手の縦断説明図、図２は図１の管継ぎ手の使用例を示す一部切断説明図、図３（Ａ），（Ｂ），（Ｃ）は夫々地震等が発生した際に図１の管継ぎ手が変形する状態を示す縦断面説明図、図４は他例の管継ぎ手及び管の継ぎ手構造を示す説明図、図５（Ａ），（Ｂ）は夫々図４の管継ぎ手及び管の継ぎ手構造を示す使用説明図である。
【０００８】
図１乃至図３（Ａ），（Ｂ），（Ｃ）に於いて、１は本発明に係るカラー型の管継ぎ手であって、隣接して並列されたヒューム管２，３の端部に介在させ、これ等のヒューム管２，３を相互に連結し得るように構成されている。この管継ぎ手１は全体が天然ゴム、合成ゴム、軟質プラスチック等の弾性体で形成され、全体が外力に対応して伸縮変形し得るように構成されている。
【０００９】
前記管継ぎ手１の管壁内の肉厚の中心部には、ファイバークロス等の伸縮調整シート４が埋設されており、この伸縮調整シート４があるために管継ぎ手１の伸び過ぎを防ぎ、その最大の伸びを拘束し得る作用をしている。この伸縮調整シート４は、予め波形状に折曲げられたものを使用することが出来る。このような構造のものの方が、特に伸縮変形に有効である。
【００１０】
管継ぎ手１の外周壁の長軸方向のほぼ中央部には、所定の巾と深さとを有するリング溝５が穿設されている。また、管継ぎ手１の外周壁の両端部には、後述の鋼製締付バンド６を挿入することが出来るリング凹溝７が夫々穿設されている。
【００１１】
また、管継ぎ手１の内周壁の長軸方向のほぼ中央部には、隣接して並列されたヒューム管２，３の端面間の隙間８に挿入して、これ等のヒューム管２，３の端面に当接し得る巾広突条リング９が突設されており、かつこの巾広突条リング９のほぼ中央にはリング深溝１０が穿設されており、巾広突条リング９の先端部はこのリング深溝１０によって２分されている。
【００１２】
管継ぎ手１の内周壁の両端部には、夫々突リブ１１がリング状に突設されており、この突リブ１１はヒューム管２，３のスピゴット部或いはソケット部の周面に設けられた係合リング溝１２内に嵌入係止し得るように構成されている。
【００１３】
本発明に係る管継ぎ手１の使用に当たっては、特に図１及び図２に示す如く、隣接して並列されるヒューム管２，３の間に管継ぎ手１を配設し、管継ぎ手１の両端部よりヒューム管２，３を強制的に挿入し、巾広突条リング９の両側面にヒューム管２，３の端面を夫々当接し、かつ管継ぎ手１の突リブ１１をヒューム管２，３の係合リング溝１２内に嵌入係止し、更に管継ぎ手１のリング凹溝７に締付バンド６を挿入してこの締付バンド６を締付けることによって、並列されたヒューム管２，３を相互に連結することが出来る。
【００１４】
本発明に係る管継ぎ手１は、前述のように全体が弾性体で形成されているので、地震時の変位による剪断力、圧縮力及び引っ張り力に対しては、抵抗するのではなく、管継ぎ手１に於いて、これ等の力を逃がすことが出来、これによってヒューム管２，３の接合部に地震の影響が及ばないようにすることが出来る。
【００１５】
図３（Ａ），（Ｂ），（Ｃ）に示す例は、これ等の剪断力、圧縮力及び引っ張り力に対応して管継ぎ手１が変形する状態を示す説明図である。即ち図３（Ａ）のように剪断力がかかった場合には、管継ぎ手１が外周に設けたリング溝５と、内周に於けたリング深溝１０で２分された巾広突条リング９の作用で、管継ぎ手１がほぼ中央部で段々状に変形し、これによって管継ぎ手１で剪断力を吸収し、ヒューム管２，３の連結構造が破壊されることを防止出来る。
【００１６】
また、図３（Ｂ）のように、ヒューム管２，３間に振動による圧縮力が掛かった場合には、管継ぎ手１を外周に設けたリング溝５と内周に設けた巾広突条リング９のリング深溝１０との作用によって、管継ぎ手１の全体をほぼ中央部に於いて圧縮せしめ、これによってヒューム管２，３の連結構造が破壊されることを防止出来る。
【００１７】
更に、図３（Ｃ）に示す如く、ヒューム管２，３間に振動による引っ張り力が掛かった場合には、管継ぎ手１を外周に於けるリング溝５と、内周に設けた巾広突条リング９のリング深溝１０との作用によって、管継ぎ手１のほぼ中央部を外方向に引伸ばし、ヒューム管２，３の連結部が管継ぎ手１より抜け出して離間することを防止出来る。
【００１８】
管継ぎ手１に前述の剪断力と圧縮力が、或いは剪断力と引っ張り力が複合力としてかかった場合にも、管継ぎ手１がそれに対応した形状に変形し、これ等の複合力を吸収することが出来る。更に本発明に係る管継ぎ手１は、その壁内の肉厚の中心部に伸縮調整シート４が一体的に埋設されているので、前述の剪断力、圧縮力或いは引っ張り力が極めて大きく管継ぎ手１に掛かった場合にも、最大の伸縮を拘束することが出来、管継ぎ手１が破断されることを防止出来る。この管継ぎ手１は図４に示す如く、フラットなコンクリート管２，３にも装着して使用することが出来る。
【００１９】
上記実施例に於いては、隣接されたコンクリート管２，３の端部に嵌着された管継ぎ手１の両端部を、夫々締付バンド６を介してコンクリート管２，３に取付固定したが、後述の図４及び図５（Ａ），（Ｂ）に示すような構造を用いて隣接されたコンリート管２，３を相互に連結することも出来る。
【００２０】
即ち、図４及び図５（Ａ），（Ｂ）に示す管継ぎ手構造は、前述の管継ぎ手１と要部を同じくした構造を持った管継ぎ手２１を使用し、この管継ぎ手２１の両端部にコンクリート管２，３の端部を嵌入し、更にこれ等のコンクリート管２，３を鋼線２２を介して相互に連結した構造である。
【００２１】
前記鋼線２２でコンクリート管２，３を相互に連結するに当たっては、図に示す如く、コンクリート管２，３の端部に夫々金属パイプよりなるシース管２３を埋設し、このシース管２３内に鋼線２２を挿通し、かつ鋼線２２の端部をナット２４で固定することによって、鋼線２２でコンクリート管２，３を夫々相互に連結する。
【００２２】
このような構造にした場合には、地震等でコンリート管２，３に引っ張り力や圧縮力が加わった場合にも図５（Ａ），（Ｂ）に示す如く、コンクリート管２，３の端部に嵌着された管継ぎ手２１を伸ばしたり或いは圧縮させるのみで、コンクリート管２，３が管継ぎ手２１から抜け落ちたり、或いはコンクリート管２，３の端部が破断されることを防止出来る。
【００２３】
【発明の効果】
本発明に係る管継ぎ手を上述の構造と作用とを有するので、次のような多大な効果を有している。
【００２４】
（１）管継ぎ手の全体に弾力性を持たせたので、地震等の時に生ずる変位に対して、伸縮変形して対応することが出来る。（２）従って、管継ぎ手によって隣接して相互に連結されたコンクリート管の連結部が破壊されることを防止出来る。（３）管継ぎ手の管壁内の肉厚の中心部に一体的に埋込まれた伸縮調整シートによって、管継ぎ手が不必要に伸縮して破断等されることを防止出来る。
【００２５】
（４）内周面のほぼ中央部に巾広突条リングが突設されているので、この巾広突条リングの両側面を夫々隣接して並列されたコンクリート管の端面に当接して安定せしめることが出来る。（５）外周面のほぼ中央に設けたリング溝と内周面の巾広突条リングに設けたリング深溝とによって、剪断力、圧縮力、引っ張り力に対して管継ぎ手を自在に変形して対応することが出来る。（６）本発明の管継ぎ手を使用することによって、連結したコンクリート管に地震等の力が作用しないように免震構造とすることが出来る。
【図面の簡単な説明】
【図１】  本発明に係る管継ぎ手の縦断説明図である。
【図２】  図１の管継ぎ手の使用例を示す一部断説明図である。
【図３】  図３（Ａ），（Ｂ），（Ｃ）は夫々地震等が発生した際に図１の管継ぎ手が変形する状態を示す縦断面説明図である。
【図４】  他例の管継ぎ手及び管の継ぎ手構造を示す説明図である。
【図５】  図５（Ａ），（Ｂ）は夫々図４の管継ぎ手及び管の継ぎ手構造を示す使用説明図である。
【符号の説明】
１           管継ぎ手
２、３       ヒューム管
４           伸縮調整シート
５           リング溝
６           締付バンド
７           リング凹溝
８           隙間
９           巾広突条リング
１０         リング深溝
１１         突リブ
１２         係合リング溝
２１         管継ぎ手
２２         鋼線
２３         シース管
２４         ナット
【図１】
0003715370.tif 000002
【図２】
0003715370.tif 000003
【図３】
0003715370.tif 000004
【図４】
0003715370.tif 000005
【図５】
0003715370.tif 000006